(57)【要約】【課題】ＰＤＣＰレイヤ機能及びＲＬＣレイヤ機能で処理を行うＤＣＣＨによる制御を用いることなく、配下のセルにおいて接続状態である移動局を別の無線基地局に再接続させる。【解決手段】本発明に係る無線基地局ｅＮＢでは、Ｌ２機能部１の故障を検出した場合、Ｌ２機能部１との間で通信を行っている移動局ＵＥに対して、ＲＡＣＨ手順を起動するように指示する「ＰＤＣＣＨ  ｏｒｄｅｒ」を送信し、かかるランダムアクセス手順において、移動局ＵＥからの「Ｍｅｓｓａｇｅ  ３」又は「ＲＡ  ｐｒｅａｍｂｌｅ」を破棄し、移動局ＵＥから「ＲＲＣ  ｃｏｎｎｅｃｔｉｏｎ  ｒｅ-ｅｓｔａｂｌｉｓｈｍｅｎｔ  ｒｅｑｕｅｓｔ」を受信すると、移動局ＵＥに対して「ＲＲＣ  ｃｏｎｎｅｃｔｉｏｎ  ｒｅ-ｅｓｔａｂｌｉｓｈｍｅｎｔ  ｒｅｊｅｃｔ」を送信するように構成されている。【選択図】図３
2015089030.tif 000002
【特許請求の範囲】
【請求項１】
各移動局のＰＤＣＰレイヤ機能及びＲＬＣレイヤ機能と通信するように構成されているレイヤ２機能部と、セルごとに設定されており各セルにおいて接続状態の移動局のＭＡＣレイヤ機能及び物理レイヤ機能と通信するように構成されているベースバンド機能部とを具備する無線基地局であって、
前記レイヤ２機能部の故障を検出した場合、該レイヤ２機能部との間で通信を行っている移動局に対して、ランダムアクセス手順を起動するように指示する指示信号を送信するように構成されており、
前記ランダムアクセス手順において、前記移動局からのメッセージ３又はプリアンブルを破棄するように構成されており、
前記移動局から再接続要求信号を受信すると、該移動局に対して再接続拒絶信号を送信するように構成されていることを特徴とする無線基地局。
【請求項２】
前記指示信号を送信してから所定期間内に前記移動局から所定数のメッセージ３又はプリアンブルを受信しない場合、該指示信号を再送するように構成されていることを特徴とする請求項１に記載の無線基地局。
【請求項３】
前記指示信号を所定回数送信しても前記移動局から所定数のメッセージ３又はプリアンブルを受信しない場合、該移動局に対して割り当てられている通信リソースを解放するように構成されていることを特徴とする請求項２に記載の無線基地局。
【請求項４】
１ＴＴＩ当たりに前記指示信号を送信する移動局の数を所定数に制限するように構成されていることを特徴とする請求項１乃至３のいずれか一項に記載の無線基地局。
【請求項５】
１ＴＴＩ当たりに前記再接続拒絶信号を送信する移動局の数を所定数に制限するように構成されていることを特徴とする請求項１乃至３のいずれか一項に記載の無線基地局。
【請求項６】
前記所定数は、前記無線基地局の混雑度又は前記セルの混雑度によって決定されるように構成されていることを特徴とする請求項４又は５に記載の無線基地局。
【請求項７】
前記再接続拒絶信号を送信してから所定期間内にコンテキスト解放信号を受信しない場合、該再接続拒絶信号を再送するように構成されていることを特徴とする請求項１に記載の無線基地局。
【請求項８】
前記再接続拒絶信号を所定回数送信しても前記コンテキスト解放信号を受信しない場合、該移動局に対して割り当てられている通信リソースを解放するように構成されていることを特徴とする請求項７に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式の移動通信システムにおいて、無線基地局ｅＮＢが故障する場合に、かかる無線基地局ｅＮＢに接続していた移動局ＵＥの通信を継続することができるように、かかる移動局ＵＥを別の無線基地局ｅＮＢに接続させる必要がある。
【０００３】
ＬＴＥ方式では、移動局ＵＥは、所定期間、下りリンクにおけるＲＳ（Ｒｅｆｅｒｅｎｃｅ  Ｓｙｍｂｏｌ）を検出できない場合に、その時点のベストセルに再接続することが規定されている（非特許文献１参照）。
【０００４】
また、無線基地局ｅＮＢの構成の１つとして、Ｌ２（Ｌａｙｅｒ  ２）機能部及びＢＢ（Ｂａｓｅ  Ｂａｎｄ）機能部を別々に管理するように構成されることが考えられる。
【０００５】
ここで、Ｌ２機能部は、図７に示すように、例えば、移動局ＵＥ単位で設定されるように構成されており、各移動局ＵＥのＰＤＣＰ（Ｐａｃｋｅｔ  Ｄａｔａ  Ｃｏｎｖｅｒｇｅｎｃｅ  Ｐｒｏｔｏｃｏｌ）レイヤ機能及びＲＬＣ（Ｒａｄｉｏ  Ｌｉｎｋ  Ｃｏｎｔｒｏｌ）レイヤ機能と通信するように構成されている。
【０００６】
一方、ＢＢ機能部は、図７に示すように、例えば、セル単位で設定されるように構成されており、無線基地局ｅＮＢ配下の各セルにおいて接続状態の移動局ＵＥのＭＡＣ（Ｍｅｄｉａ  Ａｃｃｅｓｓ  Ｃｏｎｔｒｏｌ）レイヤ機能及び物理（ＰＨＹ）レイヤ機能と通信するように構成されている。
【０００７】
また、ＣＡ（Ｃａｒｒｉｅｒ  Ａｇｇｒｅｇａｔｉｏｎ）が行われる場合には、１つの移動局ＵＥ（ＰＤＣＰレイヤ機能及びＲＬＣレイヤ機能）に対して複数のＭＡＣレイヤ機能及び物理レイヤ機能が関連付けられるため、処理能力を最適化するために、図８に示すように、Ｌ２レイヤ機能のリソースをＣＡを実現するセルで設定されている複数のＢＢ機能部間で共有することも検討されている。
【先行技術文献】
【非特許文献】
【０００８】
【非特許文献１】３ＧＰＰ  ＴＳ３６.３３１
【発明の概要】
【発明が解決しようとする課題】
【０００９】
しかしながら、従来のＬ２機能部及びＢＢ機能部を別々に管理している無線基地局ｅＮＢでは、Ｌ２機能部が故障すると、かかるＬ２機能部において管理されていたＬ２関連の状態変数が失われるため、これ以降、移動局ＵＥと無線基地局ｅＮＢとの間で、ＰＤＣＰレイヤ機能及びＲＬＣレイヤ機能で処理を行うＤＣＣＨ（Ｄｅｄｉｃａｔｅｄ  Ｃｏｎｔｒｏｌ  Ｃｈａｎｎｅｌ）により制御を行うことができない。
【００１０】
その結果、ハンドオーバ手順によって移動局ＵＥを別の無線基地局ｅＮＢやセルに遷移させたり、「ＲＲＣ  Ｃｏｎｎｅｃｔｉｏｎ  Ｒｅｌｅａｓｅ」により移動局ＵＥを一旦アイドル状態（ＲＲＣ_Ｉｄｌｅ状態）に遷移させたりすることができないという問題点があった。
【００１１】
ここで、上述のＬ２関連の状態変数には、例えば、ＰＤＣＰ-ＨＦＮ（Ｈｙｐｅｒ  Ｆｒａｍｅ  Ｎｕｍｂｅｒ）や、ＰＤＣＰ-ＳＮ（Ｓｅｑｕｅｎｃｅ  Ｎｕｍｂｅｒ）や、ＲＬＣ-ＳＮ等が含まれる。
【００１２】
そこで、本発明は、上述の課題に鑑みてなされたものであり、ＰＤＣＰレイヤ機能及びＲＬＣレイヤ機能で処理を行うＤＣＣＨによる制御を用いることなく、配下のセルにおいて接続状態である移動局を別の無線基地局に再接続させることができる無線基地局を提供することを目的とする。
【課題を解決するための手段】
【００１３】
本発明の第１の特徴は、各移動局のＰＤＣＰレイヤ機能及びＲＬＣレイヤ機能と通信するように構成されているレイヤ２機能部と、セルごとに設定されており各セルにおいて接続状態の移動局のＭＡＣレイヤ機能及び物理レイヤ機能と通信するように構成されているベースバンド機能部とを具備する無線基地局であって、前記レイヤ２機能部の故障を検出した場合、該レイヤ２機能部との間で通信を行っている移動局に対して、ランダムアクセス手順を起動するように指示する指示信号を送信するように構成されており、前記ランダムアクセス手順において、前記移動局からのメッセージ３又はプリアンブルを破棄するように構成されており、前記移動局から再接続要求信号を受信すると、該移動局に対して再接続拒絶信号を送信するように構成されていることを要旨とする。
【発明の効果】
【００１４】
以上説明したように、本発明によれば、ＰＤＣＰレイヤ機能及びＲＬＣレイヤ機能で処理を行うＤＣＣＨによる制御を用いることなく、配下のセルにおいて接続状態である移動局を別の無線基地局に再接続させることができる無線基地局を提供することができる。
【図面の簡単な説明】
【００１５】
【図１】本発明の第１の実施形態に係る移動通信システムの全体構成図である。
【図２】本発明の第１の実施形態に係る無線基地局ｅＮＢ＃Ａの機能ブロック図である。
【図３】本発明の第１の実施形態に係る移動通信システムの動作の一例を示すシーケンス図である。
【図４】本発明の第１の実施形態に係る移動通信システムの動作の一例を示すシーケンス図である。
【図５】本発明の第１の実施形態に係る無線基地局ｅＮＢ＃Ａの動作の一例を示すフローチャートである。
【図６】本発明の第１の実施形態に係る無線基地局ｅＮＢ＃Ａの動作の一例を示すフローチャートである。
【図７】従来技術を説明するための図である。
【図８】従来技術を説明するための図である。
【発明を実施するための形態】
【００１６】
（本発明の第１の実施形態に係る移動通信システム）
図１乃至図６を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００１７】
図１に示すように、本実施形態に係る移動通信システムは、セル＃Ａ及びセル＃Ｂを管理する無線基地局ｅＮＢと、移動局ＵＥとを具備している。
【００１８】
本実施形態では、セル＃Ａは、マクロセルであり、セル＃Ｂは、スモールセル（或いは、フェムトセル）であり、図１に示すように、セル＃Ｂは、セル＃Ａのカバーエリア内に設けられているものとする。
【００１９】
また、本実施形態では、移動局ＵＥが、セル＃Ａ及びセル＃Ｂを用いてＣＡを行っているものとする。
【００２０】
図１に示すように、無線基地局ｅＮＢは、上述のＬ２機能部１及びＢＢ機能部２Ａ/２Ｂを具備している。なお、Ｌ２機能部１は、ＢＢ機能部２Ａ/２Ｂに接続されている。
【００２１】
ここで、移動局ＵＥが、セル＃Ａ及びセル＃Ｂを用いてＣＡを行っている場合であっても、Ｌ２機能部１は、移動局ＵＥのＰＤＣＰレイヤ機能及びＲＬＣレイヤ機能と通信するように構成されている。
【００２２】
一方、ＢＢ機能部２Ａは、セル＃Ａ用として設定されるように構成されており、セル＃Ａにおいて接続状態の１つ又は複数の移動局ＵＥのＭＡＣレイヤ機能及び物理レイヤ機能と通信するように構成されている。
【００２３】
同様に、ＢＢ機能部２Ｂは、セル＃Ｂ用として設定されるように構成されており、セル＃Ｂにおいて接続状態の１つ又は複数の移動局ＵＥのＭＡＣレイヤ機能及び物理レイヤ機能と通信するように構成されている。
【００２４】
図２に示すように、本実施形態に係る無線基地局ｅＮＢは、制御部１１と、送信部１２と、受信部１３とを具備している。
【００２５】
制御部１１は、セル＃Ａ/＃Ｂにおいて接続状態の移動局ＵＥとの間の通信に係る制御を行うように構成されており、送信部１２は、かかる移動局ＵＥに対して各種信号を送信するように構成されており、受信部１３は、かかる移動局ＵＥから各種信号を受信するように構成されている。
【００２６】
ここで、制御部１１が、Ｌ２機能部１の故障を検出した場合、送信部１２は、Ｌ２機能部１との間で通信を行っている移動局ＵＥに対して、ＲＡＣＨ（Ｒａｎｄｏｍ  Ａｃｃｅｓｓ  Ｃｈａｎｎｅｌ）手順を起動するように指示する「ＰＤＣＣＨ  ｏｒｄｅｒ」を送信するように構成されている。
【００２７】
なお、かかる時点で、制御部１１は、移動局ＵＥに対する上りリンク及び下りリンクのスケジューリング処理を停止するように構成されていてもよい。
【００２８】
また、制御部１１（或いは、受信部１３）は、かかるＲＡＣＨ（Ｃｏｎｔｅｎｔｉｏｎ  ｂａｓｅｄ  ＲＡＣＨ）手順において、移動局ＵＥからの「Ｍｅｓｓａｇｅ  ３」を破棄し、「Ｍｅｓｓａｇｅ  ４（Ｃｏｎｔｅｎｔｉｏｎ  ｒｅｓｏｌｕｔｉｏｎ）」を送信しないように構成されている
この時、「Ｍｅｓｓａｇｅ  ３」に対する「ＭＡＣ-ＡＣＫ」を送信し、移動局からのＨＡＲＱ再送を停止させてもよい。
【００２９】
或いは、制御部１１（或いは、受信部１３）は、かかるＲＡＣＨ（Ｎｏｎ-ｃｏｎｔｅｎｔｉｏｎ  ｂａｓｅｄ  ＲＡＣＨ）手順において、移動局ＵＥからの「ＲＡ  ｐｒｅａｍｂｌｅ」を破棄し、対応する「ＲＡ  ｒｅｓｐｏｎｓｅ」を送信しないように構成されている。
【００３０】
さらに、その後、受信部１３が、移動局ＵＥから「ＲＲＣ  ｃｏｎｎｅｃｔｉｏｎ  ｒｅ-ｅｓｔａｂｌｉｓｈｍｅｎｔ  ｒｅｑｕｅｓｔ」を受信すると、受信部１３（或いは、制御部１１）は、かかる「ＲＲＣ  ｃｏｎｎｅｃｔｉｏｎ  ｒｅ-ｅｓｔａｂｌｉｓｈｍｅｎｔ  ｒｅｑｕｅｓｔ」を破棄し、送信部１２は、移動局ＵＥに対して「ＲＲＣ  ｃｏｎｎｅｃｔｉｏｎ  ｒｅ-ｅｓｔａｂｌｉｓｈｍｅｎｔ  ｒｅｊｅｃｔ」を送信するように構成されている。
【００３１】
ここで、送信部１２は、「ＲＲＣ  ｃｏｎｎｅｃｔｉｏｎ  ｒｅ-ｅｓｔａｂｌｉｓｈｍｅｎｔ  ｒｅｊｅｃｔ」について、ＣＣＣＨ（Ｃｏｍｍｏｎ  Ｃｏｎｔｒｏｌ  Ｃｈａｎｎｅｌ）にマッピングすることで、ＰＤＣＰレイヤ機能及びＲＬＣレイヤ機能を介さずに、移動局ＵＥに対して送信することができる。
【００３２】
また、受信部１３が、送信部１１によって「ＰＤＣＣＨ  ｏｒｄｅｒ」が送信されてから所定期間内に移動局ＵＥから所定数の「Ｍｅｓｓａｇｅ  ３」又は「ＲＡ  ｐｒｅａｍｂｌｅ」を受信しない場合、送信部１２は、かかる「ＰＤＣＣＨ  ｏｒｄｅｒ」が移動局ＵＥに届いていないと見なして、かかる「ＰＤＣＣＨ  ｏｒｄｅｒ」を再送するように構成されていてもよい。
【００３３】
さらに、受信部１３が、送信部１２によって「ＰＤＣＣＨ  ｏｒｄｅｒ」が所定回数送信されても移動局ＵＥから所定数の「Ｍｅｓｓａｇｅ  ３」又は「ＲＡ  ｐｒｅａｍｂｌｅ」を受信しない場合、制御部１１は、移動局ＵＥに対して割り当てられている通信リソース（例えば、ＵＥコンテキストやＣ-ＲＮＴＩや上りリンクリソース等）を解放するように構成されていてもよい。
【００３４】
なお、送信部１２（或いは、制御部１１）は、１ＴＴＩ（Ｔｒａｎｓｍｉｓｓｉｏｎ  Ｔｉｍｅ  Ｉｎｔｅｒｖａｌ）当たりに「ＰＤＣＣＨ  ｏｒｄｅｒ」を送信する移動局ＵＥの数を所定数に制限するように構成されていてもよい。
【００３５】
また、送信部１２（或いは、制御部１１）は、１ＴＴＩ当たりに「ＲＲＣ  ｃｏｎｎｅｃｔｉｏｎ  ｒｅ-ｅｓｔａｂｌｉｓｈｍｅｎｔ  ｒｅｊｅｃｔ」を送信する移動局ＵＥの数を所定数に制限するように構成されていてもよい。
【００３６】
ここで、上述の所定数は、無線基地局ｅＮＢの混雑度又はセル＃Ａ（或いは、セル＃Ｂ）の混雑度によって決定されるように構成されていてもよい。
【００３７】
なお、無線基地局ｅＮＢの混雑度は、無線基地局ｅＮＢ配下の全てのセルにおける接続状態の移動局ＵＥの数や、無線基地局ｅＮＢ配下の全てのセルにおけるＤＲＸ（Ｄｉｓｃｏｎｔｉｎｕｏｕｓ  Ｒｅｃｅｐｔｉｏｎ、間欠受信）状態の移動局ＵＥの比率や、無線基地局ｅＮＢ配下の全てのセルにおいてＣＡを行っている移動局ＵＥの比率や、無線基地局ｅＮＢ配下の全てのセルにおける平均スループットや、無線基地局ｅＮＢ配下の全てのセルにおいて設定されているＬＣＨ（Ｌｏｇｉｃａｌ  Ｃｈａｎｎｅｌ）の数等によって決定されるように構成されていてもよい。
【００３８】
同様に、セル＃Ａ（或いは、セル＃Ｂ）の混雑度は、セル＃Ａ（或いは、セル＃Ｂ）における接続状態の移動局ＵＥの数や、セル＃Ａ（或いは、セル＃Ｂ）におけるＤＲＸ状態の移動局ＵＥの比率や、セル＃Ａ（或いは、セル＃Ｂ）においてＣＡを行っている移動局ＵＥの比率や、セル＃Ａ（或いは、セル＃Ｂ）における平均スループットや、セル＃Ａ（或いは、セル＃Ｂ）において設定されているＬＣＨの数等によって決定されるように構成されていてもよい。
【００３９】
また、「ＰＤＣＣＨ  ｏｒｄｅｒ」を送信する移動局ＵＥの数の制限に用いられる所定数、及び、「ＲＲＣ  ｃｏｎｎｅｃｔｉｏｎ  ｒｅ-ｅｓｔａｂｌｉｓｈｍｅｎｔ  ｒｅｊｅｃｔ」を送信する移動局ＵＥの数の制限に用いられる所定数は、同じであるように構成されていてもよいし、異なるように構成されていてもよい。
【００４０】
また、受信部１３が、上述の「ＲＲＣ  ｃｏｎｎｅｃｔｉｏｎ  ｒｅ-ｅｓｔａｂｌｉｓｈｍｅｎｔ  ｒｅｊｅｃｔ」が送信されてから所定期間内に「ＵＥ  ｃｏｎｔｅｘｔ  ｒｅｌｅａｓｅ」を受信しない場合、送信部１２は、「ＲＲＣ  ｃｏｎｎｅｃｔｉｏｎ  ｒｅ-ｅｓｔａｂｌｉｓｈｍｅｎｔ  ｒｅｊｅｃｔ」を再送するように構成されていてもよい。
【００４１】
また、受信部１３が、上述の「ＲＲＣ  ｃｏｎｎｅｃｔｉｏｎ  ｒｅ-ｅｓｔａｂｌｉｓｈｍｅｎｔ  ｒｅｊｅｃｔ」が所定回数送信されても「ＵＥ  ｃｏｎｔｅｘｔ  ｒｅｌｅａｓｅ」を受信しない場合、制御部１１は、移動局ＵＥに対して割り当てられている通信リソースを解放するように構成されていてもよい。
【００４２】
以下、図３乃至図６を参照して、本実施形態に係る移動通信システムの動作の一例について説明する。
【００４３】
第１に、図３を参照して、本実施形態に係る移動通信システムにおいて「Ｃｏｎｔｅｎｔｉｏｎ  ｂａｓｅｄ  ＲＡＣＨ手順」が行われる場合の動作の一例について説明する。
【００４４】
図３に示すように、無線基地局ｅＮＢは、ステップＳ１００１において、Ｌ２機能部の故障を検出すると、ステップＳ１００２において、移動局ＵＥに対して、「ＰＤＣＣＨ  ｏｒｄｅｒ」を送信する。
【００４５】
ステップＳ１００３において、移動局ＵＥは、無線基地局ｅＮＢに対して、「ＲＡ  ｐｒｅａｍｂｌｅ（ｃｏｎｔｅｎｔｉｏｎ）」を送信し、「Ｃｏｎｔｅｎｔｉｏｎ  ｒｅｓｏｌｕｔｉｏｎ  ｔｉｍｅｒ」を起動する。
【００４６】
ステップＳ１００４において、無線基地局ｅＮＢは、移動局ＵＥに対して、「ＲＡ  ｒｅｓｐｏｎｓｅ」を送信し、ステップＳ１００５において、移動局ＵＥは、無線基地局ｅＮＢに対して、「Ｍｅｓｓａｇｅ  ３（Ｃ-ＲＮＴＩ  ＭＡＣ  ＣＥ）」を送信する。
【００４７】
ここで、無線基地局ｅＮＢは、移動局ＵＥからの「Ｍｅｓｓａｇｅ  ３」を破棄する。
【００４８】
移動局ＵＥは、ステップＳ１００６において、上述の「Ｃｏｎｔｅｎｔｉｏｎ  ｒｅｓｏｌｕｔｉｏｎ  ｔｉｍｅｒ」の満了を検出すると、「Ｃｏｎｔｅｎｔｉｏｎ  ｂａｓｅｄ  ＲＡＣＨ手順」が失敗したものと見なして、無線基地局ｅＮＢに対して、再度、「ＲＡ  ｐｒｅａｍｂｌｅ（ｃｏｎｔｅｎｔｉｏｎ）」を送信する。
【００４９】
その後、ステップＳ１００３乃至Ｓ１００６の処理が繰り返される。
【００５０】
移動局ＵＥは、ステップＳ１００７において、「ＲＡ  ｐｒｅａｍｂｌｅ」の再送超過により、ＲＬＦ（Ｒａｄｉｏ  Ｌｉｎｋ  Ｆａｉｌｕｒｅ）を検出して、ステップＳ１００８において再接続手順を起動し、Ｔ３０１を起動し、無線基地局ｅＮＢに対して「ＲＡ  ｐｒｅａｍｂｌｅ（ｃｏｎｔｅｎｔｉｏｎ）」を送信する。
【００５１】
ステップＳ１００９において、無線基地局ｅＮＢは、移動局ＵＥに対して、「ＲＡ  ｒｅｓｐｏｎｓｅ」を送信し、ステップＳ１０１０において、移動局ＵＥは、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信する。
【００５２】
無線基地局ｅＮＢは、かかる「ＲＲＣ  ｃｏｎｎｅｃｔｉｏｎ  ｒｅ-ｅｓｔａｂｌｉｓｈｍｅｎｔ  ｒｅｑｕｅｓｔ」を破棄する。
【００５３】
ここで、無線基地局ｅＮＢは、ステップＳ１０１１において、かかる「ＲＲＣ  ｃｏｎｎｅｃｔｉｏｎ  ｒｅ-ｅｓｔａｂｌｉｓｈｍｅｎｔ  ｒｅｑｕｅｓｔ」に対して、「ＲＲＣ  ｃｏｎｎｅｃｔｉｏｎ  ｒｅ-ｅｓｔａｂｌｉｓｈｍｅｎｔ  ｒｅｊｅｃｔ」を返信してもよい。
【００５４】
ステップＳ１０１２において、移動局ＵＥは、「ＲＲＣ  ｃｏｎｎｅｃｔｉｏｎ  ｒｅ-ｅｓｔａｂｌｉｓｈｍｅｎｔ  ｒｅｑｕｅｓｔ」に対する応答を受信しない場合、或いは、「ＲＲＣ  ｃｏｎｎｅｃｔｉｏｎ  ｒｅ-ｅｓｔａｂｌｉｓｈｍｅｎｔ  ｒｅｊｅｃｔ」を受信した場合、一旦、アイドル状態に遷移し、上位からの要求により、再度、発信処理を行い、ＲＲＣコネクションを新規に確立する（ＮＡＳ  ｒｅｃｏｖｅｒｙ）。
【００５５】
具体的には、移動局ＵＥは、所定期間経過するまで、すなわち、Ｔ３０１が満了するまでに、再接続手順が完了しない場合には、かかる再接続手順が失敗であると判断し、一旦、アイドル状態に遷移し、上位からの要求により、再度、発信処理を行い、ＲＲＣコネクションを新規に確立する。
【００５６】
第２に、図４を参照して、本実施形態に係る移動通信システムにおいて「Ｎｏｎ-ｃｏｎｔｅｎｔｉｏｎ  ｂａｓｅｄ  ＲＡＣＨ手順」が行われる場合の動作の一例について説明する。
【００５７】
図４に示すように、無線基地局ｅＮＢは、ステップＳ２００１において、Ｌ２機能部の故障を検出すると、ステップＳ２００２において、移動局ＵＥに対して、「ＰＤＣＣＨ  ｏｒｄｅｒ」を送信する。
【００５８】
ステップＳ２００３において、移動局ＵＥは、無線基地局ｅＮＢに対して、「ＲＡ  ｐｒｅａｍｂｌｅ（ｎｏｎ-ｃｏｎｔｅｎｔｉｏｎ）」を送信し、無線基地局ｅＮＢは、かかる「ＲＡ  ｐｒｅａｍｂｌｅ（ｎｏｎ-ｃｏｎｔｅｎｔｉｏｎ）」を破棄する。
【００５９】
移動局ＵＥは、ステップＳ２００４において、無線基地局ｅＮＢから「ＲＡ  ｒｅｓｐｏｎｓｅ」を受信しないため、「Ｎｏｎ-ｃｏｎｔｅｎｔｉｏｎ  ｂａｓｅｄ  ＲＡＣＨ手順」が失敗したものと見なして、無線基地局ｅＮＢに対して、再度、「ＲＡ  ｐｒｅａｍｂｌｅ（ｎｏｎ-ｃｏｎｔｅｎｔｉｏｎ）」を送信する。
【００６０】
移動局ＵＥは、ステップＳ２００５において、「ＲＡ  ｐｒｅａｍｂｌｅ」の再送超過により、ＲＬＦを検出して、ステップＳ２００６において、再接続手順を起動し、Ｔ３０１を起動し、無線基地局ｅＮＢに対して「ＲＡ  ｐｒｅａｍｂｌｅ（ｃｏｎｔｅｎｔｉｏｎ）」を送信する。
【００６１】
ステップＳ２００７において、無線基地局ｅＮＢは、移動局ＵＥに対して、「ＲＡ  ｒｅｓｐｏｎｓｅ」を送信し、ステップＳ２００８において、移動局ＵＥは、無線基地局ｅＮＢに対して、「ＲＲＣ  ｃｏｎｎｅｃｔｉｏｎ  ｒｅ-ｅｓｔａｂｌｉｓｈｍｅｎｔ  ｒｅｑｕｅｓｔ」を送信する。
【００６２】
無線基地局ｅＮＢは、かかる「ＲＲＣ  ｃｏｎｎｅｃｔｉｏｎ  ｒｅ-ｅｓｔａｂｌｉｓｈｍｅｎｔ  ｒｅｑｕｅｓｔ」を破棄する。
【００６３】
ここで、無線基地局ｅＮＢは、ステップＳ２００９において、かかる「ＲＲＣ  ｃｏｎｎｅｃｔｉｏｎ  ｒｅ-ｅｓｔａｂｌｉｓｈｍｅｎｔ  ｒｅｑｕｅｓｔ」に対して、「ＲＲＣ  ｃｏｎｎｅｃｔｉｏｎ  ｒｅ-ｅｓｔａｂｌｉｓｈｍｅｎｔ  ｒｅｊｅｃｔ」を返信してもよい。
【００６４】
ステップＳ２０１０において、移動局ＵＥは、「ＲＲＣ  ｃｏｎｎｅｃｔｉｏｎ  ｒｅ-ｅｓｔａｂｌｉｓｈｍｅｎｔ  ｒｅｑｕｅｓｔ」に対する応答を受信しない場合、或いは、「ＲＲＣ  ｃｏｎｎｅｃｔｉｏｎ  ｒｅ-ｅｓｔａｂｌｉｓｈｍｅｎｔ  ｒｅｊｅｃｔ」を受信した場合、一旦、アイドル状態に遷移し、上位からの要求により、再度、発信処理を行い、ＲＲＣコネクションを新規に確立する（ＮＡＳ  ｒｅｃｏｖｅｒｙ）。
【００６５】
具体的には、移動局ＵＥは、所定期間経過するまで、すなわち、Ｔ３０１が満了するまでに、再接続手順が完了しない場合には、かかる再接続手順が失敗であると判断し、一旦、アイドル状態に遷移し、上位からの要求により、再度、発信処理を行い、ＲＲＣコネクションを新規に確立する。
【００６６】
第３に、図５を参照して、本実施形態に係る移動通信システムにおいて「Ｃｏｎｔｅｎｔｉｏｎ  ｂａｓｅｄ  ＲＡＣＨ手順」又は「Ｎｏｎ-ｃｏｎｔｅｎｔｉｏｎ  ｂａｓｅｄ  ＲＡＣＨ手順」が行われる場合に、無線基地局ｅＮＢが移動局ＵＥに再接続手順を行わせるための動作の一例について説明する。
【００６７】
図５に示すように、無線基地局ｅＮＢは、ステップＳ１０１において、Ｌ２機能部の故障を検出すると、ステップＳ１０２において、「ｋ＝０」と設定し、ステップＳ１０３において、移動局ＵＥに対して「ＰＤＣＣＨ  ｏｒｄｅｒ」を送信し、ステップＳ１０４において、「ｋ」の値を１だけ増加させる。
【００６８】
ステップＳ１０５において、無線基地局ｅＮＢは、「Ｍｅｓｓａｇｅ  ３」或いは「ＲＡ  ｐｒｅａｍｂｌｅ（ｎｏｎ-ｃｏｎｔｅｎｔｉｏｎ）」を受信したか否かについて判定する。
【００６９】
「Ｙｅｓ」の場合、本動作は、ステップＳ１０６に進み、「Ｎｏ」の場合、本動作は、ステップＳ１０７に進む。
【００７０】
ステップＳ１０６において、無線基地局ｅＮＢは、「Ｍｅｓｓａｇｅ  ３」或いは「ＲＡ  ｐｒｅａｍｂｌｅ（ｎｏｎ-ｃｏｎｔｅｎｔｉｏｎ）」を破棄する。
【００７１】
ステップＳ１０７において、無線基地局ｅＮＢは、「ｋ」が「ｋ_ｍａｘ」以上であるか否かについて判定する。ここで、「ｋ_ｍａｘ」は、上述の所定回数に対応する。
【００７２】
「Ｙｅｓ」の場合、本動作は、ステップＳ１０８に進み、「Ｎｏ」の場合、本動作は、ステップＳ１０３に戻る。
【００７３】
ステップＳ１０８において、無線基地局ｅＮＢは、移動局ＵＥに対して割り当てられている通信リソース（例えば、ＵＥコンテキストやＣ-ＲＮＴＩや上りリンクリソース等）を解放する、すなわち、呼を解放する。
【００７４】
第４に、図６を参照して、本実施形態に係る移動通信システムにおいて「Ｃｏｎｔｅｎｔｉｏｎ  ｂａｓｅｄ  ＲＡＣＨ手順」或いは「ｎｏｎ-ｃｏｎｔｅｎｔｉｏｎ  ｂａｓｅｄ  ＲＡＣＨ手順」が行われる場合の無線基地局ｅＮＢの図５に示すステップＳ１０６以降の動作の一例について説明する。
【００７５】
図６に示すように、無線基地局ｅＮＢは、ステップＳ２０１において、「Ｍｅｓｓａｇｅ  ３」或いは「ＲＡ  ｐｒｅａｍｂｌｅ（ｎｏｎ-ｃｏｎｔｅｎｔｉｏｎ）」を破棄し、ステップＳ２０２において、移動局ＵＥに対して、「ＲＲＣ  ｃｏｎｎｅｃｔｉｏｎ  ｒｅ-ｅｓｔａｂｌｉｓｈｍｅｎｔ  ｒｅｊｅｃｔ」を送信する。
【００７６】
ステップＳ２０３において、無線基地局ｅＮＢは、「ＵＥ  ｃｏｎｔｅｘｔ  ｒｅｌｅａｓｅ」を受信したか否かについて判定する。
【００７７】
「Ｙｅｓ」の場合、本動作は、ステップＳ２０５に進み、「Ｎｏ」の場合、本動作は、ステップＳ２０４に進む。
【００７８】
ステップＳ２０４において、無線基地局ｅＮＢは、所定回数、移動局ＵＥに対して、「ＲＲＣ  ｃｏｎｎｅｃｔｉｏｎ  ｒｅ-ｅｓｔａｂｌｉｓｈｍｅｎｔ  ｒｅｊｅｃｔ」を送信したか否かについて判定する。
【００７９】
「Ｙｅｓ」の場合、本動作は、ステップＳ２０５に進み、「Ｎｏ」の場合、本動作は、ステップＳ２０２に戻る。
【００８０】
ステップＳ２０５において、無線基地局ｅＮＢは、移動局ＵＥに対して割り当てられている通信リソース（例えば、ＵＥコンテキストやＣ-ＲＮＴＩや上りリンクリソース等）を解放する、すなわち、呼を解放する。
【００８１】
以上に述べた本実施形態の特徴は、以下のように表現されていてもよい。
【００８２】
本実施形態の第１の特徴は、各移動局ＵＥのＰＤＣＰレイヤ機能及びＲＬＣレイヤ機能と通信するように構成されているＬ２機能部（レイヤ２機能部）１と、セル＃Ａ/＃Ｂごとに設定されており各セル＃Ａ/＃Ｂにおいて接続状態の移動局ＵＥのＭＡＣレイヤ機能及び物理レイヤ機能と通信するように構成されているＢＢ機能部（ベースバンド機能部）２Ａ/２Ｂとを具備する無線基地局ｅＮＢであって、Ｌ２機能部１の故障を検出した場合、Ｌ２機能部１との間で通信を行っている移動局ＵＥに対して、ＲＡＣＨ手順（ランダムアクセス手順）を起動するように指示する「ＰＤＣＣＨ  ｏｒｄｅｒ（指示信号）」を送信するように構成されており、かかるＲＡＣＨ手順において、移動局ＵＥからの「Ｍｅｓｓａｇｅ  ３（メッセージ３）」又は「ＲＡ  ｐｒｅａｍｂｌｅ（プリアンブル）」を破棄するように構成されており、移動局ＵＥから「ＲＲＣ  ｃｏｎｎｅｃｔｉｏｎ  ｒｅ-ｅｓｔａｂｌｉｓｈｍｅｎｔ  ｒｅｑｕｅｓｔ（再接続要求信号）」を受信すると、移動局ＵＥに対して「ＲＲＣ  ｃｏｎｎｅｃｔｉｏｎ  ｒｅ-ｅｓｔａｂｌｉｓｈｍｅｎｔ  ｒｅｊｅｃｔ（再接続拒絶信号）」を送信するように構成されていることを要旨とする。
【００８３】
かかる特徴によれば、無線基地局ｅＮＢは、Ｌ２機能部１の故障を検出すると、移動局ＵＥに対して「ＰＤＣＣＨ  ｏｒｄｅｒ」を送信することによって再接続手順を誘発し、移動局ＵＥからの「ＲＲＣ  ｃｏｎｎｅｃｔｉｏｎ  ｒｅ-ｅｓｔａｂｌｉｓｈｍｅｎｔ  ｒｅｑｕｅｓｔ」を意図的に排除することによって移動局ＵＥを一旦アイドル状態に遷移させ、再度、移動局ＵＥを正常な別の無線基地局ｅＮＢに接続させることができる。
【００８４】
その結果、ＰＤＣＰレイヤ機能及びＲＬＣレイヤ機能で処理を行うＤＣＣＨによる制御を用いることなく、配下のセルにおいて接続状態である移動局を別の無線基地局に再接続させることができる。
【００８５】
本実施形態の第１の特徴において、無線基地局ｅＮＢは、上述の「ＰＤＣＣＨ  ｏｒｄｅｒ」を送信してから所定期間内に移動局ＵＥから所定数の「Ｍｅｓｓａｇｅ  ３」又は「ＲＡ  ｐｒｅａｍｂｌｅ」を受信しない場合、かかる「ＰＤＣＣＨ  ｏｒｄｅｒ」を再送するように構成されていてもよい。
【００８６】
かかる特徴によれば、「Ｍｅｓｓａｇｅ  ３」又は「ＲＡ  ｐｒｅａｍｂｌｅ」の誤検出の可能性を低減することができる。
【００８７】
本実施形態の第１の特徴において、無線基地局ｅＮＢは、「ＰＤＣＣＨ  ｏｒｄｅｒ」を所定回数送信しても移動局ＵＥから所定数の「Ｍｅｓｓａｇｅ  ３」又は「ＲＡ  ｐｒｅａｍｂｌｅ」を受信しない場合、移動局ＵＥに対して割り当てられている通信リソースを解放するように構成されていてもよい。
【００８８】
かかる特徴によれば、無線基地局ｅＮＢの処理能力やリソースの浪費を回避することができる。
【００８９】
本実施形態の第１の特徴において、無線基地局ｅＮＢは、１ＴＴＩ当たりに「ＰＤＣＣＨ  ｏｒｄｅｒ」を送信する移動局ＵＥの数を所定数に制限するように構成されていてもよい。
【００９０】
かかる特徴によれば、大量の「ＰＤＣＣＨ  ｏｒｄｅｒ」の送信によるセル内のスループットの低下を回避することができる。
【００９１】
本実施形態の第１の特徴において、無線基地局ｅＮＢは、１ＴＴＩ当たりに「ＲＲＣ  ｃｏｎｎｅｃｔｉｏｎ  ｒｅ-ｅｓｔａｂｌｉｓｈｍｅｎｔ  ｒｅｊｅｃｔ」を送信する移動局ＵＥの数を所定数に制限するように構成されていてもよい。
【００９２】
かかる特徴によれば、大量の「ＲＲＣ  ｃｏｎｎｅｃｔｉｏｎ  ｒｅ-ｅｓｔａｂｌｉｓｈｍｅｎｔ  ｒｅｊｅｃｔ」の送信によるセル内のスループットの低下を回避することができる。
【００９３】
本実施形態の第１の特徴において、上述の所定数は、無線基地局ｅＮＢの混雑度又はセルの混雑度によって決定されるように構成されていてもよい。
【００９４】
かかる特徴によれば、無線基地局ｅＮＢの混雑度又はセルの混雑度を考慮して、どの程度の数の「ＰＤＣＣＨ  ｏｒｄｅｒ」及び「ＲＲＣ  ｃｏｎｎｅｃｔｉｏｎ  ｒｅ-ｅｓｔａｂｌｉｓｈｍｅｎｔ  ｒｅｊｅｃｔ」を送信することができるかについて調整することができる。
【００９５】
本実施形態の第１の特徴において、無線基地局ｅＮＢは、「ＲＲＣ  ｃｏｎｎｅｃｔｉｏｎ  ｒｅ-ｅｓｔａｂｌｉｓｈｍｅｎｔ  ｒｅｊｅｃｔ」を送信してから所定期間内に「ＵＥ  ｃｏｎｔｅｘｔ  ｒｅｌｅａｓｅ（コンテキスト解放信号）」を受信しない場合、「ＲＲＣ  ｃｏｎｎｅｃｔｉｏｎ  ｒｅ-ｅｓｔａｂｌｉｓｈｍｅｎｔ  ｒｅｊｅｃｔ」を再送するように構成されていてもよい。
【００９６】
かかる特徴によれば、移動局ＵＥによって「ＲＲＣ  ｃｏｎｎｅｃｔｉｏｎ  ｒｅ-ｅｓｔａｂｌｉｓｈｍｅｎｔ  ｒｅｊｅｃｔ」が受信される確率を高めることができる。
【００９７】
本実施形態の第１の特徴において、無線基地局ｅＮＢは、「ＲＲＣ  ｃｏｎｎｅｃｔｉｏｎ  ｒｅ-ｅｓｔａｂｌｉｓｈｍｅｎｔ  ｒｅｊｅｃｔ」を所定回数送信しても「ＵＥ  ｃｏｎｔｅｘｔ  ｒｅｌｅａｓｅ」を受信しない場合、移動局ＵＥに対して割り当てられている通信リソースを解放するように構成されていてもよい。
【００９８】
かかる特徴によれば、無線基地局ｅＮＢの処理能力やリソースの浪費を回避することができる。
【００９９】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０３】
ＵＥ…移動局
ｅＮＢ…無線基地局
１…Ｌ２機能部
２Ａ、２Ｂ…ＢＢ機能部
１１…制御部
１２…送信部
１３…受信部
【図１】
2015089030.tif 000003
【図２】
2015089030.tif 000004
【図３】
2015089030.tif 000005
【図４】
2015089030.tif 000006
【図５】
2015089030.tif 000007
【図６】
2015089030.tif 000008
【図７】
2015089030.tif 000009
【図８】
2015089030.tif 000010